(57)【要約】      （修正有）【課題】あらゆる物の切断加工に必ず伴う、粉塵や埃等を９９％周囲に撒き散らすことなく集塵できる吸塵装置を提供する。【解決手段】長さ３５０ミリ、高さ１３０ミリ、幅１００ミリのプラスチック製の底が開放された直方体の形状で、内部の切断状態が見えるよう上部片側に窓５を開放してもう一方には、粉塵や切粉や埃等を集塵機に繋がる集塵パイプ２に送り込めるように間仕切り６を施し、更に、吸塵用直方体の後部下の後ろの床面に流すように布切れ７を広げて固定する。【選択図】図１
0003202938.tif 000002
【実用新案登録請求の範囲】
【請求項１】
建築現場や工場内で使用するタイル、コンクリート、ブロック、外装ボード等を、小型電動グラインダーカッターで切断する時に発生して同時に出る粉塵や切粉や埃のほとんどを、周囲に飛散させる事無く集塵機に繋がる集塵ホースへ送り出す事を目的として、長さ３５０ミリ、高さ１３０ミリ、幅１００ミリのプラスチック製の底が開放された直方体の形状で、そして内部の切断状態が見えるよう上部片側に窓を開放してもう一方には、粉塵や切粉や埃等を集塵パイプに送り込めるように間仕切りの仕掛けを施し、更に、その吸塵用直方体の後部下の後ろの床面に流すように布切れを広げて固定した吸塵装置を供給する。
【考案の詳細な説明】
【技術分野】
【０００１】建築道具、吸塵装置、タイル工具、電動グラインダーカッターの補助工具、集機器、建築工具、左官工具、土木道具、ブロック工具、板金工具、機械工具等。
【背景技術】
【０００２】粉塵や埃は本人のみならず、周辺の人々にとっても公害であり、近年は都市部においては是正されることが緊急の課題である。【０００３】小型電動グラインダーカッター（以下小型電動カッターとする）で、タイルや石やブロックやコンクリート等の湿式の材料を切断する時、また、鉄やアルミ等を切断する時も、必ず粉塵や鉄粉や埃等が発生している。【０００４】小型電動カッターでの使用は、小回りが良いことにその必要性や機動性があり、埃を処理するためだけの大袈裟な装備は不都合である、とされている。【０００５】定尺物を決まった位置、場所で切断する物では、粉塵や埃の防御は年々進歩しているのにも拘わらず、小型電動カッターの機動性を考えれば、そのような決まった位置や場所で切断加工がいつも行われる訳ではない。【０００６】切断後の溝の底を低く這うように伝わってくる粉塵や埃の吸収が、いままでの吸塵装置では解決できていない最難問であった。【０００７】従来、直接的に作業者の顔に粉塵や埃がぶつかってくるのを防ぐ作用をする金属製のカバーがあった。
【考案の開示】
【考案が解決しようとする課題】
【０００８】あらゆる物の切断加工に必ず伴う、粉塵や埃等を９９％周囲に撒き散らすことなく集塵機に吸収させる。【０００９】機動性という性質上、何も装備させないのが最もベストなことではあるが、だからといって粉塵や埃を撒き散らして良いものではない、できるだけ最軽量、そして、邪魔にならない使い易さを残しつつ粉塵や埃に対処する。【００１０】歪んだ曲線や、円や楕円などの加工をする時は、普通に小型電動カッターとして使用できるようにしなければならない。【００１１】小型電動カッターは、またの名をハンドカッターとも言われ、多く定尺で、同じ位置で物を切断したりするものではなく、その場その場の弾力性で使用する頻度の高いものであるから、どんな場面であっても粉塵や埃の拡散を阻止できなければ意味がない。【００１２】切断切り口からの粉塵や埃だけではなく、切断した後からの溝の底を這うような粉塵、埃に対しての対処に、各メーカーが頭を痛めているのですが、柔軟性ある素材で対処するしかない、という結論に達した。【００１３】直接的に粉塵や埃が当たる金属製カバーでは、実際的には幅も狭いしなかなかカバーしきれるものではない。
【課題を解決するための手段】
【００１４】粉塵や埃の飛散には二種類あって、切断で直接後方へ押しやられるものと、切り口の細い溝を経由して後方へ飛散していくものがある。吸塵受け箱と吸塵カバー布の二重の吸塵装置によって、大半の粉塵、埃等を吸収し抑える。これはまだ世の中に発見されていない構造のものである。【００１５】本考案品は、プラスチックを構造主体として使用して、軽くなるように構成すれば使い難くなることはなく、困難な加工でも十分にこなすことができる。【００１６】小型電動カッターの取り付け、取り外しはワンタッチが絶対条件であり、本考案品が小型電動カッター本来の作業性を著しく阻害してはならない。【００１７】切り口の溝に沿って低い位置で流れてくる粉塵や埃に対しては、その電動カッターの回転の勢いそのままに流されてくる風量の勢いが減少する位置まで吸塵カバー布を維持しなければならない。【００１８】切断ラインを見ながら切断するために、顔の視線をそのカバーからやや移動させて見なければならず、そのために現在の金属製カバーの幅では全く役に立たず、粉塵や埃を避けるためには、透明プラスチックカバーで吸塵口を幅広に延長させる事が必要であることが分かった。
【考案の効果】
【００１９】今までの小型電動カッターでのタイル等の切断時は、多く粉塵や埃まみれで撒き散らし作業していた例が多く、それを除去するには、集塵機ホースを別に持って切り口に当てがってもらう相手が必要になる。又、一人で集塵ホースと小型電動カッターを片方ずつ持って作業するには危険であるし、きれいな切断ができない。それが本考案品では一人でも、小型電動カッターを両手でしっかりと握って安全で安定した切断が可能となり、粉塵や埃も二重構造故にほとんど広がることがない。【００２０】小型電動カッターは主に切断するためのガイドがなく、対象物に描かれたラインを見るには粉塵や埃から保護する金属製カバーから視線をズラして見るよりない、そのために顔面に受ける粉塵や埃を顔に浴びて真っ白になってしまい、更には目を細くして切断行為をしなければならない、しかし、覗き窓を開放したために、目を完全に見開いて切断できるようになる。
【考案を実施するための最良の形態】
【００２１】小型電動カッターに付属する、粉塵や埃が直接に顔に降り注ぐのを防ぐために（図１）の横面図の１のように、プラスチック平板を直方体形の角型に加工して、底の一面を開放する吸塵装置本体を作る。【００２２】透明のプラスチック製で粉塵の飛散を抑えつつ、カットラインが識別できる様に（図１）の上面図５、下面図５の開放窓を設け、内部で更に間仕切りのための隔壁を設け、粉塵等が直接集塵用のパイプ（図１）の横面図、上面図、下面図の２に吸い込まれるような仕掛けとして（図１）の上面図６と下面図６に設けた吸塵装置。【００２３】小型電動カッターが簡単に出し入れがし易いように当該本体に固定して取り付けるのではなく、あくまでも左右前後に振れるくらいの遊びを持たせられるような余裕ある取り付け口を作る（図１）の横面図４、上面図４、下面図４。【００２４】（図１）の横面図７、上面図７、下面図７の接続布テープで繋がっている洗濯の出来る布切れを本体からの着脱可能にして、溝を這って来る粉塵を抑え込むようにする吸塵装置。【００２５】吸塵装置全体が、切断時に無駄にフラフラと動かなくする必要性から、本体汎用の小型電動カッター胴体部と吸塵ホースの中央部を接続布テープで結ぶ。【００２６】小型電動カッターとの連動性一体化を高めるために（図１）の横面図、上面図３の本体上面上に把手を設ける。
【図面の簡単な説明】
【００２７】
【図１】当該本体プラスチック製の横面図、上面図、下面図、
【図２】当該本体の（イ）は、横面図（ａ）側から見た図です。当該本体の（ロ）は、横面図（ｂ）側から見た図です。
【符号の説明】
【００２８】［図１］
１、プラスチック製の当該吸塵器本体。
２、集塵機と一体の集塵パイプ接続用パイプ。
３、把手
４、小型電動カッターを取り付ける入り口で布カバ付き。
５、切断状況を覗くための開放された窓。
６、覗き窓と小型電動カッターの切断収納場所との間仕切りの隔壁。
７、切り口の溝を這って来る粉塵を抑え込む布切れ。
【図１】
0003202938.tif 000003
【図２】
0003202938.tif 000004